(57)【特許請求の範囲】
【請求項１】
中心にハブが形成され、同心でハブより外径が短寸のスタックリングがハブの内方に突設されている記録用媒体の収納ケースにおける記録用媒体の収納部の中心域に、短円筒体の受支体と、受支リングが形成されており、前記受支体の外径が記録用媒体のハブのスタックリングの内径よりも短い寸法とされ、かつ、その高さがスタックリングの高さより高く、前記受支リングは、前記受支体の外周に、前記受支体と等高かつ同心で形成され、その外径が記録用媒体のハブの外径より短かく、かつ、スタックリングの外径より長い寸法と設定されている記録用媒体の収納ケース。
【請求項２】
中心にハブが形成され、同心でハブより外径が短寸のスタックリングがハブの内方に突設されている記録用媒体の収納ケースにおける記録用媒体の収納部の中心域に、受支リングが形成されており、受支リングは、その高さがスタックリングの高さより高く形成され、その外径が記録用媒体のハブの外径よりも短く、かつ、スタックリングの外径よりも長い寸法と設定されている記録用媒体の収納ケース。
【請求項３】
前記記録媒体のスタックリングの外周面と前記受支リングの内周面との間の寸法差が前記受支リングの外周面と前記記録用媒体のハブの外周面との寸法差より小に設定された請求項２記載の記録用媒体の収納ケース。
【発明の詳細な説明】
【０００１】
【発明の属する技術分野】
本発明は、コンパクトディスク、フロッピー（登録商標）ディスク、光磁気ディスク等の記録用媒体の収納ケースの改良に関する。
【０００２】
【従来の技術】
この種の収納ケースとしては、収納時における記録用媒体の記録層の損傷を防止するため、例えば特開昭２０００−２５８７０号公報に示され、かつ本書図６に示した如く、収容凹部Ａの外縁に支持凸部を形成したものが提案されているが、ＣＤ等の記録用媒体の変位、或は上下方向へ外力が作用した際などには、記録用媒体ＣＤが変位、撓曲し、その記録層が収納凹部Ａの表面或は支持凸部Ｂに接触し、損傷される可能性が存する。
【０００３】
【発明が解決しようとする課題】
本発明は、従来の記録用媒体の収納ケースの内蔵する前記問題点に鑑み、記録用媒体の収納ケース内での変位、或は外部からの押圧外力の作用が発生した際でも、記録用媒体の記録層と収納凹部の表面との接触が全く生じない収納ケースを提供することを課題としている。
【０００４】
前記課題を解決するため、請求項１の発明では、中心にハブが形成され、同心でハブより外径が短寸のスタックリングがハブの内方に突設されている記録用媒体の収納ケースにおける記録用媒体の収納部の中心域に、短円筒体の受支体と、受支リングが形成されており、前記受支体の外径が記録用媒体のハブのスタックリングの内径よりも短い寸法とされ、かつ、その高さがスタックリングの高さより高く、前記受支リングは、前記受支体の外周に、前記受支体と等高かつ同心で形成され、その外径が記録用媒体のハブの外径より短かく、かつ、スタックリングの外径より長い寸法と設定されているという構成にした。
【０００５】
請求項２の発明では、中心にハブが形成され、同心でハブより外径が短寸のスタックリングがハブの内方に突設されている記録用媒体の収納ケースにおける記録用媒体の収納部の中心域に、受支リングが形成されており、受支リングは、その高さがスタックリングの高さより高く形成され、その外径が記録用媒体のハブの外径よりも短く、かつ、スタックリングの外径よりも長い寸法と設定されているという構成にした。
【０００６】
請求項３の発明では、前記記録媒体のスタックリングの外周面と前記受支リングの内周面との間の寸法差が前記受支リングの外周面と前記記録用媒体のハブの外周面との寸法差より小に設定されたという構成を請求項２の発明に付加した。
【０００７】
【発明の実施の形態】
図１及び図２は、本発明を説明するため、内ケースのブランクを示しており、収納ケースの基本的構造であるところの図６に示される如き外ケースＣ内に内ケースＤが挿入、引き出し自在に組み付けられる構造は、従来の収納ケースと同じであるが、本発明では内ケースの構造が図６に示される従来の収納ケースと相違している。
【０００８】
上記内ケースは、図１に示されるブランク１から折り畳み成形され、記録用媒体、図示例ではＣＤの収納部２に対し、背面板部３が山折線４、５において紙面背後に折曲されると共に、ストッパー片６がニ重の山折線７、８において紙面表側へ角度１８０度折曲され、また収納部２の両側のＣＤ係止耳片９、１０が谷折線１１、１２において収納部２の表面１３に重なるよう折曲されて内ケースの主要部が形成されている。
【０００９】
他方、前記収納部２に載置収納される１点鎖線で示される記録用媒体の一例たるＣＤは、周知の如く、中心にハブ１４が形成され、同心でハブ１４より外径が短寸のスタックリング１５がハブ１４の内方に突設されている。
【００１０】
図２は、記録用媒体の一例たるＣＤを載置する収納部２とＣＤとの位置関係を、両者の間隔を離して模型的に示しており、収納部２の中心に、載置される記録用媒体の一例たるＣＤ（以下ＣＤと略称する）は、中心部にハブ１４が形成され、同心にスタックリング１５が突設されている。
【００１１】
これに対し、収納部２の中心には、ハブ１４の外径ＲＡより短寸の外径の軌跡内に、受支体１６が突出形成されており、その高さＨＡは、前記スタックリング１５の高さＨＢより高く形成されている。
【００１２】
請求項１の発明では受支体１６は、図１に示すごとを単一の短円筒形に限定されるものでは無く、図示の短円筒体の頂壁を省略し、周壁を複数に分割したものとか、受支体１６の突設軌道に沿って突出させた複数の細円柱列としてもよく、この場合には収納ケースが合成樹脂で成形される場合に好適である。
【００１３】
図２に示す如く、受支体１６は、有蓋の中空短円筒体形状とされており、この場合には、厚紙を材料としてエンボス加工により受支体１６を形成するのに好適である。
【００１４】
また受支体１６の外径ＲＣは、スタックリング１５の内径ＲＢより短寸に設定されている。
【００１５】
受支体１６の高さＨＡがスタックリング１５の高さＨＢより高く設定されているので、ＣＤが受支体１６の頂面で支承されている状態では、ＣＤの記録層１７の表面は、スタックリング１５で収納部２の表面に当接している場合よりも該表面からの離間距離が長くなり、振動や外力の作用時において記録層１７が収納部２の表面に接触し、損傷する可能性が少なくなると共に受支体１６の外径ＲＣがスタックリング１５の内径ＲＢより短寸であるため、収納ケースの収納部に、ＣＤ等の記録用媒体を機械的に、自動的に装填しても、ＣＤ等が容易に、かつ正確にスタックリング１５が受支体１６に嵌装される。
【００１６】
図３は実施の一例の略示縦断面であり、受支体１８は、受支体１６と同様の手段で形成されるが、その外径ＲＤが、載置されるＣＤのハブ１４の外径ＲＡとスタックリング１５の外径ＲＢとの間に位置する寸法とされ、受支体１８の高さＨＡがスタックリング１５の高さＨＢより高く設定されていることは図２に示す実施例と同一である。
【００１７】
従って、図３に示した実施の一例によればスタックリング１５に対する受支体１８の頂面の受支面積が広く、ＣＤの半径方向外方へ向う変位許容範囲が広くなり、ＣＤが取り扱い中に半径方向外方へ向う外力の作用を受けても、受支体１８によるスタックリング１５の安定した支承が失われることは、図１に示される係止耳片９、１０との共働により、常態では生じなくなる。
【００１８】
図４は本発明の実施の一例を示しており、受支体１９が図１及び図２に示したものと同一構造の短円筒体であり、その外周に受支体１９と等高で同心の受支リング２０が形成されており、受支体１９の外径ＲＥはＣＤのスタックリング２１の内径ＲＦより短寸に設定され、受支リング２０の外径ＲＧは、ＣＤのスタックリング２１の外径ＲＨとハブ２２の外径ＲＩとの間の寸法に設定されている。
【００１９】
図４に示した本発明の構成によると、ＣＤのスタックリング２１が受支体１９と受支リング２０との間に位置し、その拘束が内外両側から行われ、しかも受支体１９と受支リング２０との高さはスタックリング２１の高さより高いのでスタックリング２１即ちＣＤが受支体１９と受支リング２０との間から外れることがなく、ＣＤの収納が確実となる。
【００２０】
図５は、請求項２の発明の実施の一例であり、図４に示した請求項１の発明における受支体１９を省略した構造に相当する。即ち収納部２の中心に形成した受支体が受支リング２３のみであり、その外径ＲＪがＣＤのハブ２４の外径ＲＫとスタックリング２５の外径ＲＬとの間に位置する寸法に設定されており、しかも受支リング２３の高さはスタックリング２５の高さより高く設定されているのでＣＤと収納部２との中心を合致させた場合に、スタックリング２５の外周面と受支リング２３の内周面との間の寸法差を、受支リング２３の外周面とハブ２４の外周面との寸法差より小に設定することにより、ＣＤが半径方外方へ移動しても、受支リング２３の頂面が記録層１７に接触することは皆無となり、ＣＤが十分に保護される。
【００２１】
なお、図４及び図５において受支リング２０、２３の下面に凹部はエンボス加工による成形の押圧痕である。
【００２２】
【発明の効果】
請求項１の発明によると、記録用媒体の中心部に形成されているハブと、このハブ中心寄りに形成されている同心のスタックリングとに対し、該媒体の収納ケースの該媒体の収納部の中心域に、記録用媒体の中心部のスタックリングを有するハブの外径より短寸の円形の軌跡内に外形を有し、かつスタックリングの高さより高い高さの受支体が突出形成されているという構成とされているので、受支体がスタックリングの内側に位置する場合には受支体の外径のスタックリングの内径との差、また受支体がスタックリングの外側に位置する場合には受支体の内径とスタックリングの外径との寸法差が、記録用媒体が収納部の正規収納位置を占めた際の記録用媒体の記録層と、該層に損傷を与えうる収納ケースの部材との間の間隔寸法より短い限りは、常に記録用媒体を損傷を生じない位置に保持できる効果を奏する。
【００２３】
また、請求項１の発明では、受支体を頂板を有する円筒体のほかに、中空円筒体、円軌跡に沿って配列された円弧片列、柱状体列等の何れの構造でも採用でき、従って、収納ケースを厚紙の打抜き、エンボス加工、或は合成樹脂シートの真空成形、圧空成形等の任意の材料、手段で成形できる効果を奏する。
【００２４】
請求項１の発明によると、記録用媒体を受支する受支体が短円筒体で、その外径が、記録用媒体のハブのスタックリングの内径より小径とされているので、収納ケースの収納部に対する記録用媒体の配設が簡単かつ容易に実現でき、また短円筒体たる受支体の外径とスタックリングの内径とにより、ＣＤ等の記録用媒体の摺動範囲を容易に制御することができるので、記録用媒体の記録層の保護度合を制御できる効果を奏する。
【００２５】
請求項１の発明によると、記録用媒体のスタックリングが、収納ケースの収納部の短円筒体たる受支体とその外周の受支リングとによる半径方向の内外側からの拘束によって位置規制され、スタックリングがこの位置規制から逸脱することは、常態の取り扱いでは発する恐れは無く、記録用媒体の収納、保護がより安定したものとなる効果を奏する。
【００２６】
請求項２の発明によると、受支体が受支リングのみであり、受支リングの内周面とスタックリングの外周面との間の寸法差を、受支リングの外周面と、ハブの外周面との間の寸法差より小に設定するのみで受支リングの頂面が記録用媒体の記録層に接触するのを良好に防止でき、簡単な構造で記録用媒体の記録層を十分に保護できる効果を奏する。
【図面の簡単な説明】
【図１】 本発明を説明するための、内ケースのブランクの展開平面図である。
【図２】 実施の一例の要部の略示縦断端面図である。
【図３】 実施の一例の要部の略示縦断端面図である。
【図４】 請求項１の発明の実施の一例の要部の略示縦断端面図である。内ケースの正面図である。
【図５】 請求項２の発明の実施の一例の要部の略示縦断端面図である。内ケースの背面図である。
【図６】 従来の記録用媒体の収納ケースの一例の斜視図である。
【符号の説明】
１ ブランク
２ 収納部
１４ ハブ
１５ スタックリング
１６ 受支体
１７ 記録層
１８ 受支体
１９ 受支体
２０ 受支リング
２１ スタックリング
２３ 受支リング
２４ ハブ
２５ スタックリング
ＣＤ 記録用媒体
ＲＡ ハブ１４の外径
ＨＡ 受支体１６、１８の高さ
ＨＢ スタックリング１５の高さ
ＲＢ スタックリング１５の内径
ＲＣ 受支体１６の外径
ＲＤ 受支体１８の外径
ＲＥ 受支体１９の外径
ＲＦ スタックリング２１の内径
ＲＧ 受支リング２０の外径
ＲＨ スタックリング２１の外径
ＲＪ 受支リングの外径
ＲＫ ハブ２４の外径
ＲＬ スタックリング２５の外径
【図１】
0004330102.tif 000002
【図２】
0004330102.tif 000003
【図３】
0004330102.tif 000004
【図４】
0004330102.tif 000005
【図５】
0004330102.tif 000006
【図６】
0004330102.tif 000007